(57)【特許請求の範囲】
【請求項１】
ゲル分離器と患者の標本とを収容する管を高速回転する遠心分離機であって、
回転体と、
前記回転体に関連作動するよう連結され、該回転体を回転軸線の周りに回転し該回転軸線から放射方向に遠心力を発生させるモーターと、
前記回転体上の枢軸の一端部に近接して回動自在に取付けられ、長手方向の軸線を有する患者標本試験管を保持するよう構成された標本管保持器と、
前記一端部とは反対側の前記保持器の端部に近接した位置に配設された係止具であって、前記保持器が前記係止具を除き前記枢軸の周りに自由に回動可能であり、前記係止具の位置と前記枢軸とが、前記回転体の半径とは９０度を含むゼロでない角度で整列しないで前記回転体が回転している時に前記管保持器の中の管にボイコット効果をもたらす、前記試験管軸線の第１の位置を形成し、前記係止具の位置が前記枢軸よりも前記回転体軸線からより遠くにあり、さらに前記係止具が、前記管保持器と係合する閉じた位置と前記管保持器を解放する開いた位置との間で作動する２つの係止位置を有している、係止具と、
前記試験管軸線が前記回転体の半径とほぼ一致し前記管の内部に完全なゲルのシールを形成する第２の位置で、前記管保持器の自由に回転するのを停止させる、前記回転体上のストッパ、
とを具備している管を高速回転する遠心分離機。
【請求項２】
栓をした端部と長手方向の軸線を有し患者標本を収容する管の中の全血液を標本管保持器における遠心分離機の回転体上で高速回転することにより、全血液の相を分離する方法であって、
（ａ）前記標本管保持器の中の前記管を前記管の軸線が前記回転体の半径とは９０度を含むゼロでない角度で整列しない第１の位置に取付ける工程と、
（ｂ）前記回転体と前記の取付けられた管とを高速回転するとともに前記管を前記整列しない位置に保持し、前記管内部の相にボイコット効果をもたらす工程と、
（ｃ）前記工程（ｂ）の後、前記高速回転する回転体上の管の位置を前記管の軸線が回転体の半径とほぼ整列する第２の位置に変えるとともに前記回転体をさらに高速回転する工程と、
（ｄ）その後に前記高速回転を停止する工程、
とからなる全血液の相を分離する方法。
【発明の詳細な説明】
【０００１】
【産業上の利用分野】
本発明は遠心作用を及ぼすことにより液体における相分離を達成する遠心分離機と相分離方法とに関する。
【０００２】
【従来の技術】
相分離を達成するため血液を遠心分離機にかける時、栓をした試験管が通常用いられ、相が遠心力に応じて分離し、重い方の細胞がこの試験管の底に行きまた軽い方の血清又は血漿が栓をした端の方に向って動く。１９２０年以来、相の分離は、試験管の軸線が遠心力の方向（回転体から半径方向に延びる）と角度をなして傾斜している場合の方が遠心力の方向に平行の場合よりも迅速に起きることが知られている。ボイコット、“血球の沈降”ネイチャー、第１０４巻、第５３２頁参照。
【０００３】
このようなより迅速な相分離を用いようとする試みがなされたが、これらの試みは米国特許第５，０３０，３４１号に示されているような、特殊の分離管を必要とする高速回転技術に大きく依存するものである。これは高速回転がこの管の周りの回転であることを必要とし、そのため勿論通常の平らな管の使用を妨げるものとなる。
【０００４】
さらに、それ自体が遠心分離機にかけている間この２つの相の間に位置しこれら相をシールしそれにより分離が表面に浮かぶ血清を直ちに注ぎ出す（注ぎ移す）ことを要しないで保たれるようにする管内のゲル分離機を用いることが普通となっている。例えば、このような管はベクトン−ディッキンソンから商標名“バキュテイナープラス”のもとに得ることができる。しかし、これらの管は、回転体が“水平ヘッド”を用いる場合にのみゲルのシールが保たれることを明示する指示を含んでいる。すなわち、ゲルのシールの完全性はこの管が遠心分離機にかけられてその長手方向の軸線が遠心力の方向に平行となる（整列する）ようにした場合にのみ期待できるものである。この結果は明らかに、前記遠心方向と角度をなす長手方向軸線がゲルの断面の直径を広げその厚さを減少し、この全てが効果的なシールの形成を妨げることを含むものとなる。
【０００５】
【発明が解決しようとする課題】
したがって、本発明より以前には解決されない２つの相反する結果が存在する。すなわちゲル障壁を有する管を遠心分離機にかけて管の長手方向の軸線が遠心力の方向と整列しないようにし、より迅速の相分離のための上記した“ボイコット”効果を利用する必要と、遠心力の方向と整列された長手方向軸線を有する管を遠心分離機にかけ、ゲルが相の境界を横切ってシールするのを保証する必要とがある。したがって、ゲル管が導入されて以来これらの対立する問題を解決する方法を見出す必要があった。（今までは、よりありふれた方法は信頼できるゲルのシールをつくり出すためにはボイコット効果を放棄しなければならなかった。）
【０００６】
【課題を解決するための手段】
本発明者は上記の相反する問題を解決しまた管が両効果を利用して遠心分離機にかけられるようにする遠心分離機を発明した。
【０００７】
さらに詳細には、本発明の１つの形態によれば患者の標本を収容する管を高速回転するための遠心分離機が提供され、この遠心分離機は、
回転体と、
前記回転体と関連して作動するよう連結され前記回転体を回転軸線の周りに回転し該回転軸線から放射方向に遠心力を発生させるモーターと、
前記回転体上の枢軸に一端が回動自在に取付けられかつ長手方向の軸線を有する患者標本試験管を保持するよう構成された、標本管保持器と、
前記一端の反対側の前記保持器の端部に近接した位置に配設された係止具であって、前記保持器が該係止具を除き前記枢軸の周りに自由に回動可能であり、係止具の位置と枢軸とが、９０°に及ぶ値のゼロでない角度で回転体の半径とは整列しない試験管の軸線の第１の位置を形成し、回転体が回転している時管保持器の管にボイコット効果をもたらすようにし、係止具の位置が枢軸よりも回転体の軸線から遠く離れており、前記係止具が、管保持器と係合する閉鎖位置と管保持器を解放する開放位置との間で作動する２位置係止具からなっている、係止具と、
試験管の軸線が回転体の半径とほぼ一致する第２の位置で管保持器の自由の回動を停止させ管内にゲルのシールを完成させる、回転体上のストッパ、
とを具備している。
【０００８】
本発明の他の形態によれば、ゲル分離機と患者標本とを収容する管を高速回転するための遠心分離機が提供されるが、この遠心分離機は、
回転体と、
前記回転体に関連して作動するよう連結され前記回転体を回転体の軸線周りに回転し該軸線から放射方向に遠心力を発生させるモーターと、
前記回転体上に取付けられ標本管を保持する標本管保持器と、
試験管軸線が回転体の回転中９０°にまでも及ぶゼロでない角度で回転体の半径とは不整列に保持される第１の位置と、試験管が回転体の半径とほぼ整列され前記角度がほぼゼロとなる第２の位置とに、前記保持器を取付ける取付け手段であって、前記保持器を回転体の回転に応じて第１の位置から第２の位置に動かす手段を含んでいる、取付け手段
とを具備している。
【０００９】
本発明のさらに他の形態によれば、標本管保持器における遠心分離機の回転体上で、栓をした端部と長手方向の軸線とを有し患者標本を収容する管の中の全血液を高速回転することにより全血液の相を分離する方法が提供される。この方法は、
（ａ）管を標本管保持器に、管の軸線が９０°にまで及ぶゼロでない角度で回転体の半径とは不整列の第１の位置で取付ける工程と、
（ｂ）上記のように取付けられた回転体と管を高速回転しまた管を前記不整列の位置に保持して管内部の相にボイコット効果を与える工程と、
（ｃ）前記工程（ｂ）の後、高速回転する回転体上の管の位置を管の軸線が回転体の半径とほぼ整列される第２の位置に変え、しかも依然として回転体を高速回転させる工程と、
（ｄ）その後に高速回転を停止する工程、
とからなっている。
【００１０】
【実施例】
本発明は好適な実施態様に関して以下に詳細に記載されるが、これらの実施態様において、試験管の中で高速回転される液体は全てが血液であり、試験管は特定銘柄の管で、２つの試験だけが一度に高速回転され、栓をした端部が高速回転の中心に最も近く位置している。さらに、本発明は、その相が分離されるべきかどうかに関係なく、用いられる試験管の型に関係なく、また管の数又は管の端部が高速回転の中心に最も接近しているかどうかに関係なく、適用することができる。
【００１１】
したがって、この好適な実施態様は全血液を血清（表面に浮かぶ相）と血液細胞（より重い相）とに、ベクトン−ディッキンソンから入手可能な２つの“バキュテイナープラス”なる商標の管Ｔを用いて回転体上で相分離する遠心分離機と方法とを提供する。本発明は、まずこれらの管を管の軸線が回転体の半径（したがって遠心力の方向）とゼロでない角度αだけ不整列となっている間に位置“ＡＡ”（図２）で高速回転し、ついでこれら管を高速回転して管の軸線が図４の“ＢＢ”の位置で位置を変えるために回転体を停止させることなく回転体の半径とほぼ整列される（角度αがほぼゼロ）ようにする構造に基づいている。（正確にはゼロでなく、例えば約５度までの角度は効果的なゲルシール作用を依然としてもたらす。）最も好ましくは、この位置の変更は高速回転を遅くすることなく達成される。実際には、第１の実施態様では、これが回転速度を増している間に生じる。
【００１２】
したがって、図１に、公知のように構成された遠心分離機１０と、モーター１４と、回転軸線２０を有する駆動スピンドル１６と、スピンドル１６に取付けられた回転体２２と、回転体上に取付けられた複数の（ここでは２個の）試験管保持器３０とが提供される。このような保持器３０は好ましくは通常のように基体３２と、例えばばね付勢され栓のない端３８（図２）よりは軸線２０に接近する栓をした端部３６を有する管Ｔの周りで挾持する１つ又は複数の挾持具３４とを具備している。ゲル４０（図４）が管の中に通常のように収容され、このゲルは高速回転する前は（図示しない）通常管の内部の端部３６又は３８に（図２の患者標本全血液Ｂと共に）位置している。
【００１３】
本発明によれば、保持器３０の基体３２は保持器３０の端部４２が又は端部４２に近接して回転体２２に回動自在に取付けられ、全ての管Ｔが回動端部４２から半径方向外側に基体３２の反対側端部４４に向って延びている。（枢軸の位置４２′は枢軸が端部４２にはなく単に端部４２に近接している実施態様を示している。）ストッパ４６が好ましくは設けられ位置“ＡＡ”で保持器３０を係止し管の軸線５０が回転体の全ての半径、例えば半径５２に対し角度αだけ不整列となるようにしている。管Ｔと管保持器３０は、以下に記載されるように回転体２２に固定され回転体２２から延出する突出部６２上で作動する係止具６０のために“ＡＡ”位置に保持される。
【００１４】
任意のゼロでないαの値は約９０°を含む値まで用いることができる。図示の第１の実施態様では、特に血清が血漿に代えて用いられる場合はαは９０°より小さい。最も好ましくは、αは約４５°である。
【００１５】
係止具６０は好ましくは図３において次のように構成される。明らかなように、突出部６２は位置ＡＡに平行に回転体２２から外側に延び、上方に延びる肩部６４で終っている。回転体２２にその周面の内側で取付けられたピン６６に係止部材７０を摺動可能に収容する大きさの開口６８があけられ、係止部材７０が矢印７２の方向に摺動するようになっている。係止部材７０は管保持器の基体３２の端部４４と係合する傾斜端部７４と、肩部６４から離間され（係止具が閉じられた時）又は肩部６４に当接される（図４の係止具が開かれた時）反対側端部７６とを有している。図３で端部７６は、係止具の端部７４をその閉じた位置に付勢するように用いられる圧縮スプリング７８により取巻かれている。スプリング７８は肩部６４と係止部材７０に固定された錘８０との間で圧縮される。そのばね常数は周知のように選択され、相分離のために用いられる回転体２２の最初の回転速度Ｗ1 でスプリングに抗して係止部材７０が戻る運動に抵抗し、しかも速度がＷ1 より大きいＷ2 になった時圧縮し端部７４を保持器の端部４４からはずすようにする。
【００１６】
ストッパピン９０が図２で回転体２２上に配設され管保持器３０がはずされた時に管保持器３０に対すストッパとして作用し、それにより管の軸線５０が、管保持器３０が図４の位置“ＢＢ”にある時半径５２とほぼ整列される（角度α＝ほぼゼロ）ようにする。
【００１７】
最も好ましくは、戻し圧縮スプリング９２が設けられその一端部がピン９４とフランジ９６に連結され、その反対側端部が管保持器基体３２に連結されている。そのばね常数は回転体２２が回転していない時にのみＡ−Ａ位置に基体３２を戻すのに十分となっている。
【００１８】
本発明の方法、すなわち高速回転による相分離を達成するための遠心分離機の作用は上記の記載から容易に明らかとなる。すなわち、管Ｔが各管保持器３０上で、例えば図１の挾持具３４を介して挿入される。この位置で保持器３０は、係止部材の端部７４が図４で保持器３０の端部４４と十分に係合されるので、管の軸線５０の位置ＡＡに係止される。
【００１９】
回転体２２が高速回転を開始し管Ｔの中の全血液の相分離を達成するのに十分な速度Ｗ1 で回転される。角度αはゼロではないので、“ボイコット効果”が相分離の速度を早め、またスプリング７８がこの高速回転速度の遠心力に抵抗するので管Ｔの位置“ＡＡ”が保持される。
【００２０】
さらに、ボイコット効果がゲル分離材料を相境界部により迅速に動かすのを助けることが示されている。
【００２１】
速度Ｗ1 と患者標本の公知の相関要素である十分な時間の後、高速回転速度が、速度Ｗ1 より高い値Ｗ2 に増大されこの速度で図４のようにスプリング７８が圧縮され係止具６０がはずされる。管保持器３０は次に、基体３２がストッパピン９０で停止するまでスプリング９２の作用に抗して枢軸ピン４２の周りに回動するようにされる。ここで、管Ｔは角度αがほぼゼロに等しくなり管の軸線が半径５２とほぼ整列される位置ＢＢにおける軸線を有する。ゲル４０それ自体を相の間の最適なシール位置へと向け直すのがこの高速回転位置である。高速回転はこの速度で公知の時間の間続けられるが、この速度は用いられるゲルの種類と量に依存して変わる。次に、高速回転が終了しスプリング９２が作用し管保持器３０を図２で位置ＡＡに戻すようにし、ここで端部７４の傾斜のため係止具６０により管保持器３０が再び係止される。
【００２２】
高速回転の速度と時間は変えることができまた与えられた条件に対して容易に決定される。次の例は単なる例示である。
【００２３】
５mlの管容積の全血液に対して、約１０，０００ＲＰＭ（１２００Ｇ’ｓ）の高速回転速度Ｗ1 が約２分間用いられ、その後この速度がＷ2 ＝１１，０００ＲＰＭに増大され、たとえば０．１分間管を新しい方向に向け、その後に高速回転がゲルを再シールするのに必要な時間、例えば約３０秒間１０，０００ＲＰＭに戻る。
【００２４】
係止具６０の離脱がもっぱら増大された遠心力に応じてなされることは必要でなくなる。その代わりに、タイミング機構がソレノイドを作動させるのに用いられ、このタイミング機構がそれ自体遠心力に応じて始動される。前に述べた部分と同様の部分に区別するための符号“Ａ”を付した同一番号がつけられている。
【００２５】
したがって、図５と６において、回転体２２Ａは上記したように図５で管Ｔを挾持する基体３２Ａを備えて正確に構成され、基体３２Ａは係止具７０Ａにより位置Ａ−Ａに係止されている。係止具７０Ａがはずされた時、すなわち仮想線の位置１００に引き下げられた時、基体３２Ａとその管は戻りスプリング９２Ａ（その一部だけが示されている）に抗して枢軸端部４２Ａの周りに回動し、患者の管を上記した実施態様におけるように、回転体の半径と整列させる。
【００２６】
しかし、さきの実施態様とは異なり、係止具７０Ａは、増大された遠心力に応じないで固定された増加時間に応じてもとの高速回転速度Ｗ1 のままで直接作動される。すなわち、ソレノイド１０２が係止具７０Ａに連結され、回路１１０と水銀スイッチ１１２の使用を介して生じる電力増強により係止具７０Ａをはずすようにする。スイッチ１１２は半径方向に延びる斜面１１４上の水銀接続具１１８を有する２極スイッチである。斜面１１４は接続具１１８を、図６で小さな遠心力ＣＦが誘発された時を除き回転体２２Ａに高速回転速度Ｗ3 ≪Ｗ1 を与えることにより、その開いた位置に留まらせる。この時、遠心力ＣＦは図５のスイッチ１１２の水銀１１８が斜面１１４をよじ登ってその閉じた位置に達するようにし、この時図６のバッテリー１２０がタイマー１２２を始動させる。タイマー１２２が予め設定した値に到達した後、ソレノイド１０２をバッテリー１２０と直列に接続するスイッチ１２４を閉じ、係止具７０Ａがはずされる。回転体２２Ａが高速回転を停止した時、スイッチ１１２は水銀がその“出発”位置に落下して戻るため自動的に開き、共にばね付勢によりゼロの値と係止位置とにそれぞれ戻るようにされているタイマーとソレノイドとを非作動とする。バッテリー１２０の発動は短時間タイマー１２２（例えば約３分間）とソレノイドとを作動するのに必要なだけであるので、バッテリー１１２としては小さなバッテリー、例えば約９ボルトのバッテリーで十分である。
【００２７】
このほかに、バッテリー１２０は回転体２２Ａ上の滑りリング（図示しない）を用いることにより外部の電源からの電源電流で置換えることができる。
【００２８】
図７と８のさらに他の実施態様は回転体の回転平面と平行ではなくある角度をなしている平面内で管保持器を揺動するよう取付けるものである。さきに記載された部分と同様の部分は、区別するための付加記号“Ｂ”がつけられた同一の参照番号を有している。
【００２９】
したがって、回転体２２Ｂは上記のようにスピンドル１６Ｂ上に、好ましくは図７のように管Ｔの栓をした端部３６Ｂを保持する保持器の端部に近接した点４２Ｂで枢着された管保持器３０Ｂを備えるよう構成されている。
【００３０】
係止具６０Ｂが、この係止具が開かれた時を除き、回転体２２Ｂの半径５２Ｂとは不整列の角度α′で保持器３０Ｂを保持する。ばね付勢手段９２Ｂが、さきの実施態様において全てが設けられているように、回転が終わった時その不整列位置に保持器３０Ｂを戻すように設けられる。（係止具６０Ｂは好ましくは図５と６に記載されたようにソレノイド１０２Ｂと図示しない時間回路とによって作動される。）
【００３１】
しかし、さきの実施態様と異なり、保持器３０Ｂは回転体２２Ｂの回転の平面に対し角度をなす、最も好ましくはこの回転平面と直角の平面上で枢軸４２Ｂの周りに回動する。上記のように、角度α′は好ましくは９０°より小さくボイコット効果が働くようにする。係止具６０Ｂが開いた時、保持器３０Ｂは自由となり枢軸４２Ｂの周りに回動しそれ自体と管Ｔとを半径５２Ｂとほぼ整列させ、管Ｔにゲルの最適のシールが形成されるようにする。
【００３２】
事実、高速回転により発生した遠心力がこの整列を生じさせる。スプリング手段９２Ｂは好ましくはＬ字形の板ばねであり、ばね常数は、保持器３０Ｂを半径５２Ｂと再度整列させる遠心力の作用に抵抗するには無力であるが高速回転が停止した時保持器３０Ｂを図７の不整列位置に戻すには有効であるように選択される。したがって、図８では、この板ばねが好ましくは回転体２２Ｂに点２０２でピン止めされた長い脚２００と保持器３０Ｂと接触するよう延びる短い脚２０４とを具備している。
【００３３】
回転体２２Ｂの下側に取付けられたＬ字形フィンガー４６Ｂが用いられ、回転体２２Ｂは休止している時、保持器３０Ｂを重力のもとで角度α′を越えて回動しないよう停止させるようにする。
【００３４】
図示しないさらに他の実施態様は図７で反対側端部４４Ｂと恒久的に係合する外側の係止具を用い、この係止具が上方に割出され、管保持器をボイコット効果を達成するのに十分なように高速回転した時そのほぼ整列された半径位置に上昇させるようにする。このような恒久的に係合する係止具が、回転体が休止している時角度α′を通って管保持器を下降させ、操作者が管Ｔを垂直である間に管保持器に装填しまた管保持器から取出すことができるようにする。このような場合、本発明はゲル分離機のない管を高速回転するのに有用である。
【００３５】
図７に関する上記全ての実施態様のさらに他の変更例は、保持器３０Ｂと挾持具３４Ｂが上記のように角度α′を通って回動する図９のバケット３００と置換えることができる。
【００３６】
角度αが、特に図７の実施態様を用い血清に代えて血漿を用いた時、９０°の大きさとすることができることが容易に理解されるであろう。これは図１０に詳細にまた図７に仮想線で示されている。さきに記載された部分と同一の部分は区別するための付加記号“Ｃ”を付した同一参照番号を有している。
【００３７】
したがって、図１０において、管保持器３０Ｃは係止具６０Ｃとソレノイド１０２Ｃとによって矢印３１０のように解放された時、図７の実施態様におけるように、枢軸４６Ｃの周りに揺動する。（係止具６０Ｃは、保持器３０Ｃが解放された時平面２９９で示される位置に引き下がる。）しかし、係止具６０Ｃの最初の位置は、保持器３０Ｃと管Ｔが垂直、すなわち角度αが回転体２２Ｃの半径と整列されない９０度である位置である。これは、管の軸線３２０が高速回転の軸線と整列されている時拡散のための経路の長さが最少となるので、最大のボイコット効果が生じるようにする。管があとで回転体２２Ｃの半径と整列された時、ゲルＧが好ましくは２つの相をシールにより分離するため新しく形成される。（これは両方の管位置において薄い細胞収容層Ｌ1 、障壁ゲル層Ｇ、血清又は血漿層Ｓを図示することにより示されている。）
【００３８】
係止具６０Ｃが解放された時管Ｔの揺動の力を最小にするため、さきの実施態様のスプリング９２Ｂが好ましくは枢軸４６Ｃ上に取付けられた捩りスプリング３４０と置換えられる。スプリング３４０はまた、遠心分離機にかけるのが完了すると取出しを容易にするため管を直立位置に戻すよう作用する。ばね常数を適当に選択することにより、スプリング３４０は管の回動を遅くするよう作用しそれにより図示の２つの位置の間で動くのに数秒間を要するようにする。
【００３９】
任意のストッパ４００が回転体の頂部に付加され、管Ｔを、係止具６０Ｃによって解放された時回転体の半径との整列からはずれて揺動しないようにする。管の頂端は常に、上記のように解放された時枢軸４６Ｃの位置が管の底部よりも頂部に接近しているため、底部よりも高速回転の軸線に接近している。
【００４０】
９０度の位置を得るため最初の位置として垂直の位置を用いることは９０度とゼロの角度との間で水平面だけを通る管Ｔの回転の利用に関して好ましい。その理由は後者の場合は栓が高速回転中引きずり要素となる結果をもたらすからである。このような配置は遠心力の作用により栓が弛められる危険がある。これに対し、管を管の支持台の上方に栓と共に垂直に取付けることは上記の影響を受けないようにする。遠心作用のもとに液体から栓に加えられる力がなおも存在し、そして任意に図示しない保持板が管保持器の一部として栓の上方に置かれ、栓が脱落することがないようにする。
【００４１】
【発明の効果】
したがって、本発明の有利な特徴は、患者標本がゲルのシールを収容する管の中で相分離され、より迅速の相分離のための“ボイコット効果”と相接触面に信頼できるゲルのシールとの両方がもたらされることである。
【００４２】
本発明の関連した有利な特徴は、“ボイコット効果”を生じる作動から効果的なゲルのシールをつくり出す作動へと容易に切換わる遠心分離機と高速回転の方法とが提供されることである。
【００４３】
本発明の他の有利な特徴はこの切換えが遠心作用の続いている間に行われることである。
【００４４】
本発明のさらに他の有利な特徴はボイコット高速回転とゲルシール作用とのこの組合せが、管の軸線の周りに高速回転されるのが必要な特殊な管でなく普通の相分離管を用いて達成できることである。
【図面の簡単な説明】
【図１】本発明の一実施態様により構成された、スプリング９２の部分で一部が切断された遠心分離機の正面図である。
【図２】管の断面と“ボイコット効果”のための位置に係止された管保持器とを示す遠心分離の破截平面図である。
【図３】図１のIII −III 線に沿った破截断面図である。
【図４】接触面における適当なゲルシールが可能な係止されない位置での管保持器を示す図２と同様の平面図である。
【図５】図１と同様であるが他の実施態様を示す切断した破截正面図である。
【図６】図５の実施態様に用いられる電気要素の回路線図である。
【図７】図１と同様であるが他の変形実施態様を示す一部切断破截正面図である。
【図８】図７のVIII−VIII線に沿った断面図である。
【図９】図７と同様であるがさらに他の実施態様を示す図である。
【図１０】非整列の角度が９０度であるさらに他の実施態様を示す図７と同様の図である。
【符号の説明】
１０…遠心分離機
１４…モーター
１６…駆動スピンドル
２０…回転軸線
２２…回転体
３０…試験管保持器
３２…基体
３４…挾持具
３６，３８…試験管端部
４０…ゲル
４２…回動端部
４６…ストッパ
５０…管軸線
５２…回転体半径
６０…係止具
６２…突出部
６４…肩部
６６…ピン
７０…係止部材
７８…スプリング
８０…錘
９０…ストッパピン
９２…戻し圧縮スプリング
９４…ピン
９６…フランジ
【図１】
0003789957.tif 000002
【図２】
0003789957.tif 000003
【図３】
0003789957.tif 000004
【図４】
0003789957.tif 000005
【図５】
0003789957.tif 000006
【図６】
0003789957.tif 000007
【図７】
0003789957.tif 000008
【図８】
0003789957.tif 000009
【図９】
0003789957.tif 000010
【図１０】
0003789957.tif 000011